(57)【特許請求の範囲】
【請求項１】
流し台の下方の空間内に出し入れ可能な引出し本体の左右の側板間に、可動収納棚を前後方向に移動可能に案内する案内レールを設けるとともに、前記引出し本体を押し入れたとき、流し台の適所に設けた押動部材に接触して、前記可動収納棚が前方に相対移動し、かつ引出し本体を引出したとき、後退手段により、可動収納棚が前記案内レールにおける後限位置まで相対移動して停止するようにしたことを特徴とする流し台の引出し装置。
【請求項２】
後退手段を、引出し本体の両側板の上面に設けた、後方が下傾する案内レールと、この案内レールに沿って転動するように可動収納棚の左右両側部に枢支した複数のローラとからなるものとした請求項１に記載の流し台の引出し装置。
【請求項３】
案内レールを凸条とするとともに、ローラを凸条に嵌合可能な溝付ローラとした請求項２に記載の流し台の引出し装置。
【発明の詳細な説明】
【０００１】
【発明の属する技術分野】
本発明は、システムキッチン等の流し台におけるシンクの下方に備え付ける引出し装置に係り、特に、収納効率を高めた引出し装置に関する。
【０００２】
【従来の技術】
図４の平面図に示すように、流し台１におけるシンク２の下方に引出し３を引出し自在に収納する場合、収納時において引出し３の後部がシンク２の下方に配置される排水管や水道管等（いずれも図示略）と干渉するため、引出し３の収納スペースが小さくなるといった問題があった。
【０００３】
【発明が解決しようとする課題】
これを解消するために、引出し３の両側板５，５上に、想像線で示すような収納棚６を前後に摺動可能に載置することが考えられる。
【０００４】
このような場合、収納棚６は、引出し３を引出した際に引出し３の収納スペースの上方位置で止まっているので、その下方に物品を収納したり取り出したりするのが面倒で、その都度収納棚６を取り外したり、あるいは手で後方に移動させる必要がある。
【０００５】
本発明は、上記問題点を解決するためになされたもので、シンク上方の配管を損傷させたり、収納物品の収納や取出しの妨げとなることなく、収納効率を高めうるようにした流し台の引出し装置を提供することを目的としている。
【０００６】
【課題を解決するための手段】
上記目的を達成するために、本発明の流し台の引出し装置は、流し台の下方の空間内に出し入れ可能な引出し本体の左右の側板間に、可動収納棚を前後方向に移動可能に案内する案内レールを設けるとともに、前記引出し本体を押し入れたとき、流し台の適所に設けた押動部材に接触して、前記可動収納棚が前方に相対移動し、かつ引出し本体を引出したとき、後退手段により、可動収納棚が前記案内レールにおける後限位置まで相対移動して停止するようにしたことを特徴としている。
上記構成の引出し装置によると、引出し本体に設けた可動収納棚が、引出し本体の出し入れ時に反対方向に相対移動するため、引出し本体の収納時には可動収納棚は引出しの前方に移動して収納されるので、物品の収納効率を高めることができる。また、引出し本体の引出し時には可動収納棚は後退するので、引出し本体の前部側に物品を収納したり取り出したりするのが容易となる。
【０００７】
上記引出し装置において、後退手段を、引出し本体の両側板の上面に設けた、後方が下傾する案内レールと、この案内レールに沿って転動するように可動収納棚の左右両側部に枢支した複数のローラとからなるものとするのが好ましい。
このようにすると、複雑な後退手段を別途設けることなく、可動収納棚を円滑に、かつ自重により自動的に後退させることができる。
【０００８】
上記引出し装置において、案内レールを凸条とするとともに、ローラを凸条に嵌合可能な溝付ローラとするのが好ましい。
このようにすると、可動収納棚は左右方向にがた付くことなく案内レールに沿って安定的に移動することができる。
【０００９】
【発明の実施の形態】
以下、本発明の実施形態を図１ないし図３に基づいて説明する。
【００１０】
図１に示すように、流し台１のシンク２の下方の空間には、本発明の引出し装置８が出し入れ可能に組み込まれている。引出し装置８は、引出し本体９と可動収納棚１０とからなり、引出し本体９の後端部には、従来と同様、シンク２の下方の配管類との干渉を防止するための凹部４が形成されている。
【００１１】
引出し本体９は、その左右の側板９ａの外側面に形成された前後方向を向く案内構１１を、流し台１の収納空間内の内側面に設けた案内突条１２に摺動可能に嵌合させることにより、図１に示す引出し位置と、流し台１の収納空間内に収容される収容位置とに、前後方向に移動させることができる。
【００１２】
両側板９ａの上面は、図３に示すように、後方に向かって下向きに傾斜させてあり、その上端には、案内レール１３が、長手方向にほぼ全長に亘って嵌着されている。なお、側板９ａ上面の傾斜度は、可動収納棚１０がその自重によりゆっくりと移動しうる程度としてある。
【００１３】
可動収納棚１０は、引出し本体９の凹部４の上方を覆いうる大きさの長方形をなし、引出し本体９の両側板９ａ間のほぼ上半部内に収容されるＵ字状の棚板１０ａと、その左右の上端より外方に延出する鍔片１０ｂとを備え、かつ鍔片１０ｂの下方における棚板１０ａの左右の側面には、前後１対ずつの溝付ローラ１４が、左右方向を向く水平軸１５により回転自在に枢支されている。
【００１４】
上記左右の溝付ローラ１４は、それぞれ左右の案内レール１３の凸条部１３ａ上に嵌合されている。これにより可動収納棚１０全体は、案内レール１３に沿って前後方向に円滑に移動することができ、かつ通常時においては、案内レール１３が後方に下傾しているため、各案内レール１３の後端部上面に立設したストッパ１６と当接する後限位置、すなわち凹部４の上方に位置して停止するようになっている（図１、図３参照）。
【００１５】
流し台１における引出し装置８の収容空間部内の適所には、引出し装置８を押し入れたとき、可動収納棚１０の鍔片１０ｂの後端と当接して、収納棚１０全体を、シンク２の下方の配管類と接触しない前方位置、例えば図３の想像線の前限位置まで相対移動させる押動片１７が設けられている。なお、押動片１７は左右１対設けるのがよい。
【００１６】
上記実施形態において、引出し装置８を引出して可動収納棚１０に物品を収容し（収納棚を取外して行ってもよい）、これがストッパ１６と当接する前限位置に停止している状態で、引出し本体９を押し入れると、その途中において収納棚１０の鍔片１０ｂが押動片１７と当接することにより、収納棚１０全体は、引出し本体９と相対的に案内レール１３に知沿って前方に移動する。
【００１７】
従って、可動収納棚１０がシンク２の下方の配管類と接触するのが防止される。
【００１８】
一方、押し入れた状態から引出し本体９を引き出すと、案内レール１３の傾斜作用により、それまで前方に移動させられていた可動収納棚１０は、自重により自動的に後方に移動し、ストッパ１６と当接する後限位置で停止する。これにより、引出し本体９の前部側の上方が開放され、物品を収納したり取り出したりするのが容易に行うことができる。
【００１９】
このように、本発明によれば、可動収納棚１０により、凹部４の上方に形成されるデッドスペースが解消され、物品の収納効率を増大させることができる。
【００２０】
また、収納棚１０は、引出し本体９の出し入れに連動してこれと相対的に移動するため、シンク２の下方の配管類を損傷させたり、引出し本体９に収納した物品の取出しに支障を来したりすることもない。
【００２１】
本発明は、上記実施形態に限定されるものではない。
【００２２】
上記実施形態ににおいては、引出し本体９を引出した際に可動収納棚１０を後方に相対移動させる後退手段を、後方が下傾する案内レール１３と、収納棚１０に枢支した複数の溝付ローラ１４としているが、案内レール１３を水平として、収納棚１０の後端部適所と流し台１の収納空間の奥部とに、ひも状の引っ張り部材を取付け、これにより引っ張られて後方に移動させるようにしてもよい。
【００２３】
この際は、収納棚１０は強制的に後方に移動させられるため、上述にようなローラ１４や案内レール１３を省略して、単に摺動抵抗の小さい材料同士の滑り接触としてもよい。
【００２４】
また、案内レール１３が両側板９ａ、９ａ上に設けられているが、案内レールが側板９ａ、９ａと別箇所に設けられていてもよい。
【００２５】
本発明は、シンク２の下方に設けられる引出し装置、すなわち引出し本体９の後端部に凹部４を有するもの以外に、例えば流し台１における引出し本体９の後端部が入り込む空間に下向きの膨出部が形成され、それにより引出し本体９の後端部の収納効率が低下しているものにも適用することができる。
【００２６】
【発明の効果】
本発明によれば、次のような効果が得られる。
【００２７】
（ａ）請求項１記載の発明によれば、引出し本体に設けた可動収納棚が、引出し本体の出し入れ時に反対方向に相対移動するため、例えば引出し本体の後端にシンクの下方の配管類との干渉を防止するための凹状のデッドスペースを有していても、その上方に可動収納棚を位置させて物品を収納することができ、収納効率は大幅に高まる。
また、引出し本体を引き出すと、可動収納棚は自動的に後退し、引出し本体の前部側上方を開放するので、物品の出し入れが容易となる。
【００２８】
（ｂ）請求項２記載の発明によれば、複雑な後退手段を別途設けることなく、可動収納棚を円滑かつ自動的に後退させることができる。
【００２９】
（ｃ）請求項３記載の発明によれば、可動収納棚は、案内レールに沿って安定的に移動することができる。
【図面の簡単な説明】
【図１】本発明の引出し装置を備える流し台の一部の斜視図である。
【図２】図１のII−II線の拡大縦断正面図である。
【図３】引出し装置の側面図である。
【図４】従来の引出しを備える流し台の一部の平面図である。
【符号の説明】
１              流し台
２              シンク
４              凹部
８              引出し装置
９              引出し本体
９ａ            側板
１０            可動収納棚
１０ａ          棚板
１０ｂ          鍔片
１１            案内溝
１２            案内突条
１３            案内レール
１３ａ          凸条部
１４            溝付ローラ
１５            水平軸
１６            ストッパ
１７            押動片（押動部材）
【図１】
0004412567.tif 000002
【図２】
0004412567.tif 000003
【図３】
0004412567.tif 000004
【図４】
0004412567.tif 000005